(57)【要約】    【課題】  透過原稿の読取用光源の消費電力を低減することができる画像読取装置を提供する。    【解決手段】  画像読取装置１００は、３つの透過原稿領域１０８ａ，１０８ｂ，１０８ｃが設定されているコンタクトガラス１０６と、コンタクトガラス１０６の上に載置された読取原稿１０５を照明すべく当該読取原稿１０５の上に配される透過原稿用照明装置１０７とを備える。透過原稿用照明装置１０７は、面状導光体１１０と、３つの透過原稿領域１０８ａ，１０８ｂ，１０８ｃに夫々対応して面状導光体１１０の側部にＲ，Ｇ，Ｂ各色の透過原稿用発光ダイオードユニット１１１，１１２，１１３とを備える。モノクロイメージセンサ１０４が透過原稿用ＬＥＤ１１１による指定ライン分の読取りを終了した後、透過原稿用ＬＥＤユニット１１１，１１２，１１３の全てによるスキャン処理が終了するまで、点灯位置切替制御回路５０９がＬＥＤ点灯位置を切り替えることにより、透過原稿用ＬＥＤユニット１１２，１１３について同様の処理を行う。【選択図】      図１
2005221665.tif 000002
【特許請求の範囲】
【請求項１】
透過原稿を載置すると共に、複数の透過原稿領域が設定されている原稿台と、前記複数の透過原稿領域の各領域において前記載置された透過原稿に光を照射する複数の光源ユニットと、前記光源ユニットにより透過原稿に照射され、前記透過原稿を透過した光を受光して前記透過原稿の画像を読み取る画像読取手段とを備える画像読取装置において、
前記画像読取手段による画像の読取位置に応じて前記複数の光源ユニットの点灯を順次切り替える点灯切替手段を備えることを特徴とする画像読取装置。
【請求項２】
前記光源ユニットは、互いに発光波長の異なる複数の光源を備え、前記画像読取装置は、前記複数の光源を順次切り替える点灯制御手段を有することを特徴とする請求項１記載の画像読取装置。
【請求項３】
前記透過原稿読取領域の読取は、対応する前記光源ユニットの前記複数の光源をライン毎に順次点灯して読み取ることを特徴とする請求項２記載の画像読取装置。
【請求項４】
前記複数の光源は、赤色波長、緑色波長、青色波長の発光ダイオードから成ることを特徴とする請求項２又は３記載の画像読取装置。
【請求項５】
前記点灯制御手段は、前記透過原稿の種類に応じて前記複数の光源の各点灯時間を制御することを特徴とする請求項２乃至４のいずれか１項に記載の画像読取装置。
【請求項６】
前記光源ユニットは、白色光源を有することを特徴とする請求項１乃至５のいずれか１項に記載の画像読取装置。
【発明の詳細な説明】
【技術分野】
【０００１】
本発明は、画像読取装置に関し、特に、複数の透過原稿領域を有する透過原稿を読み取るための画像読取装置に関する。
【背景技術】
【０００２】
従来、透過原稿を読み取るための画像読取装置は、透過原稿を読み取るための光源を反射原稿用のものとは別に搭載している。この画像読取装置は、透過原稿の読取を行う場合、反射原稿用の光源とは別に設置された透過原稿用の光源を利用し、画像読取装置本体内における撮像装置搭載のコンタクトイメージセンサを副走査方向に移動することで透過原稿の読取を行っていた。
【０００３】
上記透過原稿用の光源として多く用いられている蛍光管は、点灯後光源の光量が安定するまでの時間（以下「ウォームアップ時間」という。）が長く、点灯してからすぐに原稿の読取を開始することができない。
【０００４】
このウォームアップ時間は、透過原稿用の光源として用いられる蛍光管の点灯制御により保温して、光源の光量を一定に保つことにより短縮したり（例えば、特許文献１参照）、また、図６に示すように、透過原稿用の光源として蛍光管でなく発光ダイオードを用いてウォームアップ時間を不要としている（例えば、特許文献２参照）。
【０００５】
図６の画像読取装置は、読取原稿を載置すると共に、透過原稿領域１８が設定されているコンタクトガラス１６と、コンタクトガラス１６の上に載置された読取原稿を照明すべく当該読取原稿の上に配される透過原稿用照明装置１７とを備える。透過原稿用照明装置１７は、面状導光体２０と、透過領域に対応して面状導光体２０の側部に配された発光ダイオード２１とを備える。
【特許文献１】特開平８−８７０７５号公報
【特許文献２】特開２００３−３１５９３１号公報
【発明の開示】
【発明が解決しようとする課題】
【０００６】
しかしながら、ＵＳＢバスパワー(５００ｍＡ)で制限された電力しか使用できない画像読取装置で、画像読取用に光源を移動させることなく複数コマの透過原稿を一度の原稿の載置で読み取る場合、複数コマに光源を設置しなくてはならない。このような画像読取装置の光源として蛍光管を用いると、いくら制御点灯しても電力不足により十分な保温ができず、ウォームアップ時間を短縮できないという問題があった。
【０００７】
また、光源として点状光源ＬＥＤを用いると、ウォームアップ時間が不要であるため、上記のような問題は生じないが、カラー画像を読み取る場合には、複数コマに設置された複数の点状光源ＬＥＤを一度に点灯することとなり、電力不足により十分な光量を確保できないという問題があった。
【０００８】
本発明の目的は、複数の透過原稿領域を有する透過原稿の読取用光源の消費電力を低減することができる画像読取装置を提供することにある。
【課題を解決するための手段】
【０００９】
上述の目的を達成するために、請求項１記載の画像読取装置は、透過原稿を載置すると共に、複数の透過原稿領域が設定されている原稿台と、前記複数の透過原稿領域の各領域において前記載置された透過原稿に光を照射する複数の光源ユニットと、前記光源ユニットにより透過原稿に照射され、前記透過原稿を透過した光を受光して前記透過原稿の画像を読み取る画像読取手段とを備える画像読取装置において、前記画像読取手段による画像の読取位置に応じて前記複数の光源ユニットの点灯を順次切り替える点灯切替手段を備えることを特徴とする。
【００１０】
請求項２記載の画像読取装置は、請求項１記載の画像読取装置において、前記光源ユニットは、互いに発光波長の異なる複数の光源を備え、前記画像読取装置は、前記複数の光源を順次切り替える点灯制御手段を有することを特徴とする。
【００１１】
請求項３記載の画像読取装置は、請求項２記載の画像読取装置において、前記透過原稿読取領域の読取は、対応する前記光源ユニットの前記複数の光源をライン毎に順次点灯して読み取ることを特徴とする。
【００１２】
請求項４記載の画像読取装置は、請求項２又は３記載の画像読取装置において、前記複数の光源は、赤色波長、緑色波長、青色波長の発光ダイオードから成ることを特徴とする。
【００１３】
請求項５記載の画像読取装置は、請求項２乃至４のいずれか１項に記載の画像読取装置において、前記点灯制御手段は、前記透過原稿の種類に応じて前記複数の光源の各点灯時間を制御することを特徴とする。
【００１４】
請求項６記載の画像読取装置は、請求項１乃至５のいずれか１項に記載の画像読取装置において、前記光源ユニットは、白色光源を有することを特徴とする。
【発明の効果】
【００１５】
請求項１記載の画像読取装置によれば、画像の読取位置に応じて複数の光源ユニットの点灯を順次切り替えると共に、当該切り替えられた光源ユニットの１つにおける複数の光源を順次切り替えるので、透過原稿の読取用光源の消費電力を低減させることができる。
【００１６】
請求項２記載の画像読取装置は、読取時の読取色のみ発光させるので不要な発光を抑えることができる。
【００１７】
請求項３記載の画像読取装置は、ライン毎に順次点灯するので大きな色ずれが生じないで、消費電力を抑えることができる。
【００１８】
請求項４記載の画像読取装置は、光源の備える複数の光源は、赤色波長、緑色波長、及び青色波長の発光ダイオードであるので、ウォームアップ時間の必要を無くし、且つ消費電力を低減することができる。
【００１９】
請求項５記載の画像読取装置は、透過原稿の種類に応じて前記複数の光源の各点灯時間を制御するので、透過原稿の読取用光源の消費電力を確実に低減することができる。
【００２０】
請求項６記載の画像読取装置は、白色光源を用いるので、色ずれが無く、且つ消費電力を抑えることができる。
【発明を実施するための最良の形態】
【００２１】
以下、本発明の実施の形態を図面を用いて詳説する。
【００２２】
図１は、本発明の実施の形態に係る画像読取装置の概略構成を示す図であり、図１（ａ）は側面図であり、図１（ｂ）は平面図である。
【００２３】
図１において、画像読取装置１００は、３つのコマから成る透過原稿としての読取原稿１０５を載置するコンタクトガラス１０６と、コンタクトガラス１０６の上に載置された読取原稿１０５を照明すべく当該読取原稿１０５の上に配される透過原稿用照明装置１０７と、透過原稿用照明装置１０７に接続された後述する図２の電気基板１０９と、電気基板１０９に接続されると共に、コンタクトレンズ１０６の下方で副走査（矢印）方向に移動するコンタクトイメージセンサ（ＣＩＳ）１０１（画像読取手段）とを備える。コンタクトガラス１０６上の画像読み取り領域は３つの透過原稿領域１０８ａ，１０８ｂ，１０８ｃとして制御される。
【００２４】
透過原稿用照明装置１０７は、原稿側の面に光拡散シート（不図示）が設置された面状導光体１１０と、１箇所あたりＲ，Ｇ，Ｂ各色の透過原稿用発光ダイオード（ＬＥＤ）を備え、３つの透過原稿領域１０８ａ，１０８ｂ，１０８ｃに夫々対応して面状導光体１１０の側部３箇所に配されたＬＥＤユニット１１１，１１２，１１３とを備える。ＬＥＤユニット１１１が備えるＲ，Ｇ，Ｂ各色の透過原稿用発光ダイオードは、導光体１１０の構造と不図示の光拡散シートにより、透過原稿領域１０８ａを略均一に照明する。他のＬＥＤユニット１１２，１１３も同様に対応する透過原稿領域１０８ｂ，１０８ｃを夫々略均一に照明する。
【００２５】
イメージセンサ１０１は、読取原稿１０５を透過した透過光をコンタクトガラス１０６を介して受光するレンズアレイ１０３と、受光した光を光電変換するモノクロイメージセンサ１０４とを備え、さらに、反射原稿用ＬＥＤ、線状導光体、を搭載している不図示の反射原稿用照明装置を備える。
【００２６】
上記画像読取装置１００は、透過原稿読取時に以下のように作動する。
【００２７】
透過原稿読取時には透過原稿用ＬＥＤユニット１１１，１１２，１１３からの照射光を面状導光体１１０を介して読取原稿１０５に照射する。このとき、画像読取装置１００は、コンタクトイメージセンサ１０１を原稿に沿って副走査（矢印）方向に移動させながら、１ライン毎に先ずＬＥＤユニット１１１のＲ，Ｇ，Ｂ各色を切り替えて点灯させることにより、読取原稿１０５からのＲ，Ｇ，Ｂ各色の透過光をモノクロイメージセンサ１０４で受光すると共に、受光量に相応する電気的な画像信号に光電変換する。この各画像信号に対し、電気基板１０９において画像処理を施して２次元カラー透過原稿画像を得る。
【００２８】
また、画像読取装置１００は、上記の透過原稿読取動作時にコンタクトイメージセンサ１０１の副走査方向における位置に応じて、透過原稿領域１０８ａ，１０８ｂ，１０８ｃに対応して、点灯ＬＥＤユニットをＬＥＤユニット１１１，ＬＥＤユニット１１２，ＬＥＤユニット１１３の順に切り替えて点灯していくことで複数コマの透過原稿画像の読取を行う。
【００２９】
モノクロイメージセンサ１０４にて光電変換された電気信号は、電気的に接続された電気基板１０９に送られる。
【００３０】
図２は、図１の画像読取装置１００における電気基板１０９を含む各種処理回路のブロック図である。
【００３１】
図２において、電気基板１０９は、図１におけるコンタクトイメージセンサ（ＣＩＳ）１０１より出力された電気信号に対してアンプ増幅、ＤＣオフセット補正、Ａ／Ｄ変換等の処理を行いデジタル画像データを出力するアナログ・フロントエンド・プリプロセッサであるＡＦＥ４０２と、ＡＦＥ４０２から出力されたデジタル画像データのシェーディング補正を行うシェーディング補正回路４０３と、シェーディング補正回路４０３での補正後の画像データに対してガンマ変換処理やパッキング処理等の所定の処理を行う画像処理回路４０４と、画像読取装置１００のホスト装置となる外部装置４０６との間でコントロール信号の受容や画像信号の出力を行うインターフェース回路４０５とを直列に備える。
【００３２】
シェーディング補正回路４０３は、コンタクトイメージセンサ１０１が透過原稿用照明装置１０７からの照射光を読み取って作成した基準レベルのデータに基づいてシェーディング補正を行う。この基準レベルのデータは、予め外部装置４０６に記録されており、透過原稿読取時にシェーディング補正回路４０３がインターフェース回路４０５を介して外部装置４０６から取得する。
【００３３】
画像処理回路４０４は、外部装置４０６で予め設定された画像読取モード（２値,２４ビット多値など）をインターフェース回路４０５を介して取得し、この取得された画像読取モードに従ってパッキング処理を行う。
【００３４】
外部装置４０６は、画像読取装置１００を制御するためのスキャナドライバを有しており、画像読取装置１００と一体となって画像処理システムを構成する。このスキャナドライバは、外部装置４０６のコンピュータで実行されるソフトウエアであり、上述の画像読取モードの指定、解像度指定、読取範囲の指定を行うためのユーザーインターフェースを有し、各指定に基づくコントロール信号や読取開始命令等をインターフェース回路４０５を介して画像読取装置１００に送信する。また、スキャナドライバは、画像読取装置１００で読み取った画像データをインターフェース回路４０５を介して外部装置４０６に送信する制御や、その送信された画像データを外部装置４０６の不図示のディスプレイに表示する制御も行う。
【００３５】
光源切替回路４０７は、ＣＩＳ１０１内の反射原稿用ＬＥＤと透過原稿用照明装置１０７内の透過原稿用ＬＥＤユニット１１１，１１２，１１３を切替駆動する。システムコントローラ４０８は、画像読取装置１００全体の制御を行う。
【００３６】
図３は、図１における透過原稿用照明装置１０７の光源切替回路４０７のブロック図である。
【００３７】
図３において、光源点灯制御回路５０８は、Ｒ，Ｇ，Ｂの夫々の色のＬＥＤの点灯を制御する。Ｒ−ＬＥＤ駆動回路５０１は、光源点灯制御回路５０８により赤色ＬＥＤの点灯が指示された期間、Ｒ−ＬＥＤを駆動する。Ｇ−ＬＥＤ、Ｂ−ＬＥＤも同様に夫々緑色、青色のＬＥＤを駆動する。透過原稿を読み取るときには、透過原稿読み取り用に設定された駆動電流で各ＬＥＤを駆動し、反射原稿を読み取るときには、反射原稿読み取り用に設定された駆動電流で各ＬＥＤを駆動する。さらに、透過原稿読み取りでは、透過原稿がネガかポジかに応じて駆動電流を変える。ＳＷ５０２は、光源切替制御回路５１０からの指示により、ＬＥＤ駆動回路５０１の駆動電流を、透過原稿用ＬＥＤユニット１１１、１１２、１１３の何れかに接続するか、あるいは反射原稿用ＬＥＤ１１４に接続するかを切替える。ＳＷ５０３は、点灯位置切替制御回路５０９からの指示により、ＳＷ５０２を３組の透過原稿用ＬＥＤユニット１１１、１１２、１１３の何れの組に接続するかを切替える。例えば、ＳＷ５０２が透過原稿用ＬＥＤに接続され、ＳＷ５０３が透過原稿用ＬＥＤユニット１１１に接続されていると、ＬＥＤ駆動回路５０１は透過原稿用ＬＥＤユニット１１１の３色のＬＥＤを駆動するように接続される。また、光源点灯制御回路５０８は、カラー画像読取の主走査方向１ラインを読み取る間に、Ｒ、Ｇ、ＢのＬＥＤが順番に点灯するように制御する。画像読取装置１００は、夫々の色のＬＥＤが点灯している期間に各々の色の主走査方向１ラインの信号を読み取る。読み取った信号は外部装置４０６に送る。外部装置４０６はこの信号を受け取って３色のカラー画像信号を得る。
【００３８】
図４は、図１の画像読取装置１００によって実行される透過原稿読取処理のフローチャートである。透過原稿読取か反射原稿読取か、また、透過原稿がネガかポジかは、ユーザからの設定で切り替えることができ、また、原稿を自動検知することで設定することもできる。ここでは、透過原稿が設定されており、光源切替制御回路５１０は透過原稿用ＬＥＤを指示しており、ＳＷ５０２によってＬＥＤ駆動回路５０１の出力はＳＷ５０３に接続されている。
【００３９】
図４において、まず、画像読取装置１００は、電源投入後にイニシャライズが完了すると、外部装置４０６に格納されているスキャナドライバから透過原稿である読取原稿１０５の読取開始命令をインターフェース回路４０５を介して受信するのを待ち、この受信がされたときに（ステップＳ６００でＹＥＳ）、点灯位置切替制御回路５０９が点灯位置切替制御用ＳＷ５０３にて、まず、ＬＥＤ駆動回路５０１を透過原稿用ＬＥＤユニット１１１と接続する（ステップＳ６０１）。
【００４０】
次に、画像読取装置１００は、インターフェース回路４０５を介してスキャナドライバからプリスキャン開始命令を受信すると（ステップＳ６０２でＹＥＳ）、プリスキャン処理を行う（ステップＳ６０３）。この処理は、具体的には、まず、点灯位置切替制御回路５０９がＬＥＤ駆動回路５０１を駆動し、透過原稿用ＬＥＤユニット１１１のＲ−ＬＥＤを点灯して透過原稿にＲ−ＬＥＤ光を１ライン分照射し、読取原稿１０５からの透過光をモノクロイメージセンサ１０４にＲ読取信号として蓄積する。次に、透過原稿用ＬＥＤユニット１１１のＧ−ＬＥＤを点灯して、Ｒ−ＬＥＤと同様の処理を行う。この間、前にモノクロイメージセンサ１０４に蓄積されたＲ−ＬＥＤ色の主走査方向１ライン分のＲ読取信号がモノクロイメージセンサ１０４から図２のＡＦＥ４０２に出力信号として出力される。
【００４１】
以下同様に、透過原稿用ＬＥＤユニット１１１のＢ−ＬＥＤの点灯中にＧ読取信号がＡＦＥ４０２に出力される。その後、コンタクトイメージセンサ１０１が原稿に沿って副走査方向に１ライン分移動した後、次の１ラインの透過原稿の画像を読み取るために透過原稿用ＬＥＤユニット１１１のＲ−ＬＥＤが点灯している間に、透過原稿用ＬＥＤユニット１１１のＢ読取信号が出力される。このようにして、Ｒ，Ｇ，Ｂの各色の読取信号が１ラインずつモノクロイメージセンサ１０４からＡＦＥ４０２に出力信号として出力される。
【００４２】
このプリスキャン処理は、インターフェース回路４０５を介してスキャナドライバから取得した読取原稿１０５の一つの透過原稿領域１０８ａ，１０８ｂ，又は１０８ｃにおける指定ラインまで行われると（ステップＳ６０４でＹＥＳ）、透過原稿用ＬＥＤユニット１１１，１１２，１１３の全てによるプリスキャン処理が終了したか否かを判別し（ステップＳ６０５）、終了していないときは、点灯位置切替制御回路５０９がＬＥＤ点灯位置を切り替えて（ステップＳ６０６）、ステップＳ６０３以降の処理を繰り返す。具体的には、上述したように、透過原稿用ＬＥＤユニット１１１についてのプリスキャン処理のみが終了している場合は、透過原稿用ＬＥＤユニット１１２についてのプリスキャン処理（ステップＳ６０３）を読取原稿１０５の次の一つの透過原稿領域１０８ｂにおける指定ラインが終了するまで（Ｓ６０４でＹＥＳ）行い、その後、透過原稿用ＬＥＤユニット１１３についてのプリスキャン処理（ステップＳ６０３）を読取原稿１０５の最後の透過原稿領域１０８ｃにおける指定ラインが終了するまで（Ｓ６０４でＹＥＳ）行う。
【００４３】
一方、ステップＳ６０５の判別の結果、透過原稿用ＬＥＤユニット１１１，１１２，１１３の全てによるプリスキャン処理が終了したときは、そのプリスキャンの結果を外部装置４０６に送信する。これにより、外部装置４０６は不図示のモニタでプリスキャンの結果を表示することができ、ユーザはプリスキャンが所望の範囲で行われているかどうか等をチェックすることができる。
【００４４】
次に、画像読取装置１００は、インターフェース回路４０５を介してスキャナドライバから本スキャン開始命令を受信すると（ステップＳ６０７でＹＥＳ）、本スキャン処理を行う（ステップＳ６０８）。このスキャン処理は、上述のプリスキャン処理（ステップＳ６０３）と略同様の処理であり、通常スキャナドライバから受信する設定は、読取範囲が指定され、読み取り解像度の設定がプリスキャン処理の場合の設定と比べて高い。
【００４５】
この本スキャン処理についても、モノクロイメージセンサ１０４が指定ライン分の読み取りを終了すると（ステップＳ６０９でＹＥＳ）、透過原稿用ＬＥＤユニット１１１，１１２，１１３の全てによる本スキャン処理が終了したか否かを判別し（ステップＳ６１０）、終了していないときは、点灯位置切替制御回路５０９がＬＥＤ点灯位置を切り替え（ステップＳ６１１）、ステップＳ６０８以降の処理を繰り返す。
【００４６】
一方、ステップＳ６１０の判別の結果、透過原稿用ＬＥＤユニット１１１，１１２，１１３の全てによる本スキャン処理が終了したときは、その本スキャンの結果を外部装置４０６に送信して、本処理を終了する。
【００４７】
以上、本実施の形態によれば、透過原稿用ＬＥＤユニット１１１がＲＧＢの３つのＬＥＤ光を順次切り替えて、読取原稿１０５の１コマを照射することによりモノクロイメージセンサ１０４が指定ライン分の読取りを終了した後（ステップＳ６０４でＹＥＳ）、透過原稿用ＬＥＤユニット１１１，１１２，１１３の全てによるプリスキャン処理が終了するまで（ステップＳ６０５でＹＥＳ）、点灯位置切替制御回路５０９がＬＥＤ点灯位置を切り替えることにより、透過原稿用ＬＥＤユニット１１２，１１３について同様の処理を行う（ステップＳ６１１）ので、モノクロイメージセンサ１０４による画像の読取位置に応じて透過原稿用ＬＥＤユニット１１１，１１２，１１３の点灯を順次切り替えると共に、この切り替えられた点灯光源の１つにおける複数の光源を順次切り替えることができ、透過原稿の読取用光源の消費電力を低減させることができる。
【００４８】
本実施の形態では、透過原稿用ＬＥＤユニット１１１，１１２，１１３は、図１（ｂ）に示すように、各透過原稿領域１０８の片側中央位置に配されているが、図５（ａ）に示すように、各透過原稿領域１０８の両側中央位置に配されてもよく、図５（ｂ）に示すように、各透過原稿領域１０８の両側隅角位置にあってもよい。これにより、より精度よく複数コマから成る読取原稿１０５の読取を行うことができる。また、図１，５の説明では、３コマの画像を有する透過原稿１０５に対して、透過原稿領域１０８を３つ設定して、３箇所の点灯位置を切り替えているが、６コマの画像を有する透過原稿に対して、２コマで一つの透過原稿領域として、全体で３つの透過原稿領域を設定し、６コマに対して、３箇所のＬＥＤの位置を切り替えて照明して読み取る等の変形もできる。また、透過原稿用ＬＥＤユニット１１１，１１２，１１３を白色ＬＥＤにて構成し、ＣＩＳでの読み取りをモノクロイメージセンサ１０４の代わりに３色のカラーフィルタを有するイメージセンサにて読み取ることもできる。
【図面の簡単な説明】
【００４９】
【図１】本発明の実施の形態に係る画像読取装置の概略構成を示す図であり、（ａ）は側面図であり、（ｂ）は平面図である。
【図２】図１における電気基板１０９の備える各種回路のブロック図である。
【図３】図１における透過原稿用照明装置１０７の光源切替回路のブロック図である。
【図４】図１の画像読取装置１００によって実行される透過原稿読取処理のフローチャートである。
【図５】（ａ）は、図１の画像読取装置の変形例の平面図であり、（ｂ）は、図１の画像読取装置の他の変形例の平面図である。
【図６】従来の画像読取装置の平面図である。
【符号の説明】
【００５０】
１００  画像読取装置
１０４  モノクロイメージセンサ
１０５  読取原稿
１０７  透過原稿用照明装置
１０８  透過原稿領域
１０９  電気基板
１１０  面状導光体
１１１，１１２，１１３  透過原稿用ＬＥＤユニット
【図１】
2005221665.tif 000003
【図２】
2005221665.tif 000004
【図３】
2005221665.tif 000005
【図４】
2005221665.tif 000006
【図５】
2005221665.tif 000007
【図６】
2005221665.tif 000008